(57)【特許請求の範囲】
【請求項１】
下面に吸込口が形成された吸込部と、
前記吸込部に設けられ、一端側が前記吸込口に通じ、他端部に電気掃除機の吸込管が接続される継手部材と、
前記吸込部の後端から後方に延びて設けられ、上面部で前記電気掃除機の掃除機本体を下側から支持する掃除機装着部と、を備え、
前記掃除機装着部は、
前記掃除機装着部の下面部に設けられた車輪と、
前記上面部に設けられ、前記掃除機装着部が前記掃除機本体を支持した状態において、前記掃除機本体の表面に接触する掃除機受け部と、を備え、
前記車輪の軸及び前記掃除機受け部の前後方向の位置は、前記掃除機装着部が前記掃除機本体を支持した状態において、使用者が持つ前記掃除機本体の掃除機取っ手の前端から後端までの範囲内で、かつ、前記掃除機本体の充電池の下方にそれぞれ配置され、
前記掃除機受け部の前後方向の位置は、前記車輪の軸の前後方向の位置の直上又は直上より前側に配置され、
前記掃除機受け部の下面には、上方に向かって凹んだ凹部が形成される吸込具。
【請求項２】
前記車輪の軸及び前記掃除機受け部の前後方向の位置は、前記掃除機装着部が前記掃除機本体を支持した状態において、前記掃除機取っ手の前端から後端までの中央よりも前側に配置される請求項１に記載の吸込具。
【請求項３】
前記車輪は、左右方向の中心における径が左右両端における径よりも大きい形状である請求項１又は請求項２に記載の吸込具。
【発明の詳細な説明】
【技術分野】
【０００１】
この発明は、吸込具に関するものである。
【背景技術】
【０００２】
従来においては、掃除機本体とベースとを有するダニ除去掃除機であって、ベースの下側の面にベース塵埃吸込口が設置され、ベースの上側の面に頂部凹溝とベース塵埃吸込口に貫通するベース塵埃排出口とが設置され、掃除機本体部分が頂部凹溝内に挟持され、かつ、ハンディクリーナーとして設置され、掃除機本体の塵埃吸込口がベース塵埃排出口に取り外し可能に連通し、ベースの下側の面の後端に車輪が設けられたものが知られている（例えば、特許文献１参照）。
【先行技術文献】
【特許文献】
【０００３】
【特許文献１】実用新案登録第３１９６８６２号公報
【発明の概要】
【発明が解決しようとする課題】
【０００４】
しかしながら、特許文献１に示された従来における吸込具においては、ベース（吸込具）の上側の面において掃除機本体を支持する部位と、ベース（吸込具）の下側の面の後端に設けられた車輪との位置関係について全く考慮されておらず、使用者が掃除機本体の取っ手を持って掃除機本体及び吸込具に荷重を掛けつつ操作した際の安定性及び操作性に欠けるという問題がある。
【０００５】
この発明は、このような課題を解決するためになされたもので、使用者が掃除機本体の取っ手を持って掃除機本体及び吸込具に荷重を掛けつつ操作した際の安定性及び操作性を向上することができる吸込具を得るものである。
【課題を解決するための手段】
【０００６】
この発明に係る吸込具においては、下面に吸込口が形成された吸込部と、前記吸込部に設けられ、一端側が前記吸込口に通じ、他端部に電気掃除機の吸込管が接続される継手部材と、前記吸込部の後端から後方に延びて設けられ、上面部で前記電気掃除機の掃除機本体を下側から支持する掃除機装着部と、を備え、前記掃除機装着部は、前記掃除機装着部の下面部に設けられた車輪と、前記上面部に設けられ、前記掃除機装着部が前記掃除機本体を支持した状態において、前記掃除機本体の表面に接触する掃除機受け部と、を備え、前記車輪の軸及び前記掃除機受け部の前後方向の位置は、前記掃除機装着部が前記掃除機本体を支持した状態において、使用者が持つ前記掃除機本体の掃除機取っ手の前端から後端までの範囲内で、かつ、前記掃除機本体の充電池の下方にそれぞれ配置され、前記掃除機受け部の前後方向の位置は、前記車輪の軸の前後方向の位置の直上又は直上より前側に配置され、前記掃除機受け部の下面には、上方に向かって凹んだ凹部が形成される構成とする。
【発明の効果】
【０００７】
この発明に係る吸込具においては、使用者が掃除機本体の取っ手を持って掃除機本体及び吸込具に荷重を掛けつつ操作した際の安定性及び操作性を向上することができるという効果を奏する。
【図面の簡単な説明】
【０００８】
【図１】この発明の実施の形態１に係る吸込具に電気掃除機を装着した状態を示す斜視図である。
【図２】この発明の実施の形態１に係る吸込具に電気掃除機を装着した状態を示す側面図である。
【図３】この発明の実施の形態１に係る吸込具に装着される電気掃除機の側面図である。
【図４】図３の電気掃除機の縦断面図である。
【図５】図３の電気掃除機を下側から見た斜視図である。
【図６】この発明の実施の形態１に係る吸込具を斜め前方かつ斜め上方から見た斜視図である。
【図７】図６の吸込具を斜め前方かつ斜め下方から見た斜視図である。
【図８】この発明の実施の形態１に係る吸込具が備える上ケースを斜め前方かつ斜め上方から見た斜視図である。
【図９】図８の上ケースを斜め後方かつ斜め下方から見た斜視図である。
【図１０】この発明の実施の形態１に係る吸込具が備える下ケースを斜め前方かつ斜め上方から見た斜視図である。
【図１１】図１０の下ケースを斜め前方かつ斜め下方から見た斜視図である。
【図１２】図１０の下ケースの上面図である。
【図１３】この発明の実施の形態１に係る吸込具が備える回転ブラシカバーを斜め前方かつ斜め上方から見た斜視図である。
【図１４】図１３の回転ブラシカバーを斜め後方かつ斜め下方から見た斜視図である。
【図１５】この発明の実施の形態１に係る吸込具が備える前車輪組立の斜視図である。
【図１６】図１５の前車輪組立の平面図である。
【図１７】図１５の前車輪組立からタイヤを外した状態を示す斜視図である。
【図１８】図１５の前車輪組立が備えるタイヤの斜視図である。
【図１９】この発明の実施の形態１に係る吸込具が備える掃除機固定具の斜視図である。
【図２０】この発明の実施の形態１に係る吸込具が備える後車輪の斜視図である。
【図２１】この発明の実施の形態１に係る吸込具が備える下カバー止め具の斜視図である。
【図２２】この発明の実施の形態１に係る吸込具が備える下カバー組立を斜め前方かつ斜め上方から見た斜視図である。
【図２３】図２２の下カバー組立を斜め後方かつ斜め下方から見た斜視図である。
【図２４】この発明の実施の形態１に係る吸込具が備える回転ブラシ組立の斜視図である。
【図２５】この発明の実施の形態１に係る吸込具が備える継手部材を斜め前方かつ斜め上方から見た斜視図である。
【図２６】図２５の継手部材を斜め後方かつ斜め上方から見た斜視図である。
【図２７】図２５の継手部材を斜め前方かつ斜め下方から見た斜視図である。
【図２８】この発明の実施の形態１に係る吸込具が備える継手カバーの斜視図である。
【図２９】この発明の実施の形態１に係る吸込具が備える前カバーを斜め前方かつ斜め上方から見た斜視図である。
【図３０】図２９の前カバーを斜め後方かつ斜め下方から見た斜視図である。
【図３１】図６の吸込具を斜め後方かつ斜め上方から見た斜視図である。
【図３２】この発明の実施の形態１に係る吸込具に電気掃除機を装着した状態の縦断面図である。
【図３３】この発明の実施の形態１に係る吸込具の縦断面図である。
【図３４】この発明の実施の形態１に係る吸込具に電気掃除機を装着した状態を下方から見た図である。
【図３５】この発明の実施の形態１に係る吸込具に電気掃除機を装着した状態を後方から見た図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図３６は、この発明の実施の形態１に係るもので、図１は吸込具に電気掃除機を装着した状態を示す斜視図、図２は吸込具に電気掃除機を装着した状態を示す側面図、図３は吸込具に装着される電気掃除機の側面図、図４は図３の電気掃除機の縦断面図、図５は図３の電気掃除機を下側から見た斜視図である。
【００１１】
図６は吸込具を斜め前方かつ斜め上方から見た斜視図、図７は図６の吸込具を斜め前方かつ斜め下方から見た斜視図、図８は吸込具が備える上ケースを斜め前方かつ斜め上方から見た斜視図、図９は図８の上ケースを斜め後方かつ斜め下方から見た斜視図、図１０は吸込具が備える下ケースを斜め前方かつ斜め上方から見た斜視図、図１１は図１０の下ケースを斜め前方かつ斜め下方から見た斜視図、図１２は図１０の下ケースの上面図、図１３は吸込具が備える回転ブラシカバーを斜め前方かつ斜め上方から見た斜視図、図１４は図１３の回転ブラシカバーを斜め後方かつ斜め下方から見た斜視図である。
【００１２】
図１５は吸込具が備える前車輪組立の斜視図、図１６は図１５の前車輪組立の平面図、図１７は図１５の前車輪組立からタイヤを外した状態を示す斜視図、図１８は図１５の前車輪組立が備えるタイヤの斜視図、図１９は吸込具が備える掃除機固定具の斜視図、図２０は吸込具が備える後車輪の斜視図、図２１は吸込具が備える下カバー止め具の斜視図、図２２は吸込具が備える下カバー組立を斜め前方かつ斜め上方から見た斜視図、図２３は図２２の下カバー組立を斜め後方かつ斜め下方から見た斜視図、図２４は吸込具が備える回転ブラシ組立の斜視図である。
【００１３】
図２５は吸込具が備える継手部材を斜め前方かつ斜め上方から見た斜視図、図２６は図２５の継手部材を斜め後方かつ斜め上方から見た斜視図、図２７は図２５の継手部材を斜め前方かつ斜め下方から見た斜視図、図２８は吸込具が備える継手カバーの斜視図、図２９は吸込具が備える前カバーを斜め前方かつ斜め上方から見た斜視図、図３０は図２９の前カバーを斜め後方かつ斜め下方から見た斜視図、図３１は図６の吸込具を斜め後方かつ斜め上方から見た斜視図である。
【００１４】
図３２は吸込具に電気掃除機を装着した状態の縦断面図、図３３は吸込具の縦断面図、図３４は吸込具に電気掃除機を装着した状態を下方から見た図、図３５は吸込具に電気掃除機を装着した状態を後方から見た図である。
【００１５】
この発明の実施の形態１に係る吸込具１は、図１及び図２に示すように、電気掃除機４を装着して用いるものである。この吸込具１は、特に、電気掃除機４で寝具を掃除する際に好適である。ここでは、まず、電気掃除機４について説明してから、電気掃除機４に着脱される吸込具１について説明する。
【００１６】
以下の説明においては、吸込具１及び電気掃除機４の向きについて、以下のようにして定めた向きを必要に応じて用いる。まず、前後方向については、吸込具１の後述する吸込部２が配置された側を前とし、後述する掃除機取っ手５０５が配置された側を後とする。次に、水平面内において前後方向と直交する方向を左右方向とする。また、上下方向については、電気掃除機４を吸込具１に装着した状態で使用するときの上下方向に従う。すなわち、掃除機取っ手５０５が配置された側を上、後述する前車輪組立１８１及び後車輪２４１が配置された側を下とする。そして、塵埃を吸い込む気流の方向については、吸込具１の後述する吸込開口３１４の側を上流とし、電気掃除機４の後述する排気口５０９の側を下流とする。また、例えばゴミ、塵埃、毛髪、繊維くず等のように、電気掃除機４の清掃対象となる全ての物質を総称して「塵埃」と表記する。
【００１７】
この発明の実施の形態１に係る吸込具１とともに用いられる電気掃除機４は、吸込具１に代えて他のアタッチメントを装着することにより、単体でスティッククリーナーとして使用されるものである。図３から図５を参照しながら、電気掃除機４の構成を説明する。電気掃除機４は、その本体部分を構成する掃除機本体５０１と、後述の集塵ユニット５３１とを備えている。
【００１８】
掃除機本体５０１は、電動送風機５０２、電池ユニット５２０、掃除機取っ手５０５、掃除機吸込管５０７及び排気口５０９等を備えている。ここで、電動送風機５０２、電池ユニット５２０及び集塵ユニット５３１は、後述のように、互いに同径の円筒状に形成されている。そして、電気掃除機４は、集塵ユニット５３１が電動送風機５０２の前端面に着脱可能に取り付けられ、電池ユニット５２０が電動送風機５０２の後端面に取り付けられることにより、全体として細長い円筒状に形成されている。
【００１９】
電動送風機５０２は、掃除機本体５０１に塵埃を吸い込むための気流を発生させるもので、円筒状の送風機ケーシング５２１と、この送風機ケーシング５２１内に収納された電動モータ及びファン等の可動部とを備えている。電池ユニット５２０は、電池ケーシング５２２と、この電池ケーシング５２２内に収納された充電池５０４及び制御基板５０３とを備えている。電池ケーシング５２２は、掃除機取っ手５０５と対面する上面部が平坦に形成され、上面部以外が円筒状に形成されている。充電池５０４は、電気掃除機４の電源を構成するもので、電動送風機５０２、制御基板５０３等に電力を供給する。制御基板５０３は、電気掃除機４の動作を制御するもので、マイクロコンピュータ等を備えている。
【００２０】
掃除機取っ手５０５は、電気掃除機４の使用時に把持される部位であり、電池ユニット５２０の上面部に取り付けられ、前後方向に伸張している。掃除機取っ手５０５のうち人に把持されない前端部分は、電動送風機５０２の上面部まで伸張しており、この部位には、電気掃除機４の電源スイッチ等を含む操作部が配置されている。掃除機吸込管５０７は、被清掃面から吸い込んだ空気を集塵ユニット５３１に導入する管路である。掃除機吸込管５０７は、電動送風機５０２の前部側上面に固定されている。掃除機吸込管５０７は、掃除機取っ手５０５と直線状に並んだ状態で集塵ユニット５３１の上面部に沿って前後方向に伸張し、集塵ユニット５３１の前端面よりも前方に突出している。
【００２１】
掃除機吸込管５０７には、掃除機吸込口５０６及び吸込管吐出口５０８が形成されている。掃除機吸込口５０６には、吸込具１が着脱可能に接続される。吸込管吐出口５０８には、集塵ユニット５３１の流入側に着脱可能に接続される。掃除機吸込口５０６には、この実施の形態１で説明する吸込具１だけでなく、他の各種の吸込具、延長管（いずれも図示せず）等のアタッチメントが接続される。
【００２２】
掃除機吸込管５０７の前端側には、アタッチメントの着脱を行うための着脱ボタン５１０が配置されている。着脱ボタン５１０は、吸込具１側の接続掛け金受け３７３（後述）に掛け止めされる接続掛け金５１１（図４）と一体に形成されている。接続掛け金５１１は、使用者が着脱ボタン５１０を押すことにより接続掛け金受け３７３から外れた状態となり、アタッチメントの着脱が可能となる。
【００２３】
排気口５０９は、塵埃を除去した後の空気を電気掃除機４から排出するための開口部である。排気口５０９は、図３に示すように、例えば複数のスリットにより構成され、送風機ケーシング５２１のうち上部側を除く位置、すなわち、送風機ケーシング５２１の左右の側面部及び下面部に開口している。この構成によれば、排気口５０９の開口面積を大きく形成しつつ、掃除機取っ手５０５を把持した使用者の手等に排気が当たるのを抑制することができる。
【００２４】
なお、送風機ケーシング５２１の上部側には、排気口５０９と同様に見えるスリット状の凹部が形成されている。これらの凹部は、排気口５０９として機能しないが、排気口５０９と同一の円周状に並ぶことでデザイン性を向上させている。また、掃除機吸込管５０７の外側には、例えば集塵ユニット５３１の前端面に沿って突出する掃除機凸部５１２が取り付けられている。掃除機凸部５１２には、充電池５０４に充電するための充電端子５１３が配置されている。
【００２５】
次に、集塵ユニット５３１について説明する。集塵ユニット５３１は、掃除機本体５０１に着脱可能に取り付けられる。集塵ユニット５３１は、図４に示すように、例えば遠心力を利用して空気から塵埃を分離するサイクロン式の集塵装置により構成されている。集塵ユニット５３１は、集塵ケーシング５２３、隔壁５３６、集塵室５３７、集塵ユニット取っ手５３２、集塵ユニットレバー５３３、取っ手フランジ５３４、掃除機固定凸部受け５３５等を備えている。
【００２６】
集塵ケーシング５２３は、送風機ケーシング５２１及び電池ケーシング５２２と等しい外径を有する円筒形状に形成されている。隔壁５３６は、集塵ケーシング５２３内に同軸に配置され、先端側が開口した２重の円錐状に形成されている。集塵室５３７は、集塵ケーシング５２３の内周面と隔壁５３６の外周面との間に形成されている。そして、集塵ユニット５３１は、掃除機吸込口５０６から集塵ケーシング５２３内に流入する空気中の塵埃を除去して集塵室５３７に捕集し、塵埃を除去した後の空気を電動送風機５０２に向けて流出させる。ここで、前述したように、集塵ユニット５３１は、サイクロン式の集塵装置により構成されている。すなわち、集塵ユニット５３１の内部において含塵空気を中心軸のまわりに旋回させて含塵空気から塵埃を分離する。
【００２７】
集塵ユニット取っ手５３２は、集塵ユニット５３１を掃除機本体５０１から取り外すとき、及び、集塵室５３７内に溜まった塵埃を捨てるとき等に把持される部位であり、前後方向に伸張する細長い突起として形成されている。集塵ユニット取っ手５３２の前部側は、集塵ケーシング５２３の後部下端側の外周面に固着されている。また、集塵ユニット取っ手５３２の後部側は、電動送風機５０２の外周面と接触する位置まで伸張し、送風機ケーシング５２１に着脱可能に連結されている。
【００２８】
集塵ユニットレバー５３３は、集塵ユニット５３１と電動送風機５０２との連結を解除するときに操作されるもので、集塵ユニット取っ手５３２の下面部に配置されている。使用者は、集塵ユニットレバー５３３を操作することにより、集塵ユニット５３１を掃除機本体５０１から取り外すことができる。
【００２９】
取っ手フランジ５３４は、図５に示すように、集塵ユニット取っ手５３２の左右の側面の周縁部に形成された枠状の突起である。取っ手フランジ５３４は、集塵ユニット取っ手５３２を掴み易くする機能と、後述のように電気掃除機４を吸込具１に取り付けるときの掛け止め部としての機能とを有している。掃除機固定凸部受け５３５は、集塵ユニット取っ手５３２の前面部に開口する凹部である。吸込具１に電気掃除機４を装着した際に、掃除機固定凸部受け５３５内に吸込具１側の掃除機固定凸部１２５が挿入されるようになっている。
【００３０】
次に、吸込具１について説明する。吸込具１は、電気掃除機４に装着された状態で、例えば布団、絨毯、床面等の被清掃面を掃除するためのアタッチメントであり、特に布団等の寝具の表面を効率よく掃除する機能を有している。吸込具１は、電動送風機５０２の吸引力を利用して被清掃面から塵埃を吸い込み、この塵埃を空気と共に電気掃除機４の掃除機吸込口５０６に送り込むものである。
【００３１】
図６及び図７に示すように、吸込具１は、例えば上ケース１０１と下ケース２６１とを組み合わせることにより全体としてＴ字状に形成され、吸込具１の前端部を構成する吸込部２と、吸込部２の後端部に固定された掃除機装着部３とを備えている。吸込部２は、吸込口ノズルとして機能する部位であり、左右方向に細長く伸張している。
【００３２】
掃除機装着部３は、例えば扁平な四角形状の台座として形成され、吸込具１の左右方向の中間部から後方に伸張している。電気掃除機４は、掃除機装着部３に取り付けられた状態で、吸込部２に接続される。掃除機装着部３の機能は、電気掃除機４を下側から支持すること、寝具等の被清掃面上で電気掃除機４を使用するときの操作性及び使い勝手を向上させること、及び、電気掃除機４から下方にも吹き出す排気が被清掃面に直接当たるのを防止することである。
【００３３】
図６及び図７に示すように、吸込具１は、上ケース１０１及び下ケース２６１を備えている。上ケース１０１は、主に、吸込具１の上側の外殻を構成する部材である。上ケース１０１により、吸込部２の上側と掃除機装着部３の上側とが一体に形成される。下ケース２６１は、主に、吸込具１の下側の外殻を構成する部材である。下ケース２６１により、吸込部２の下側と掃除機装着部３の下側とが一体に形成される。
【００３４】
図８及び図９に示すように、上ケース１０１における吸込部２の上側を形成する部分には、前カバー装着部１０２、前カバー爪受け１０３、前カバー爪穴１０４、継手穴１０５、継手カバー装着部１０６及び継手カバー爪受け１０７が形成されている。
【００３５】
前カバー装着部１０２は、上ケース１０１における吸込部２の上側を形成する部分の上面に形成された凹部である。前カバー装着部１０２には、図６に示すように前カバー４２１が装着される。前カバー４２１の詳細については後述する。前カバー装着部１０２は、その周囲に比べ前カバー４２１の厚みとほぼ同等な深さで凹んでいる。そして、前カバー装着部１０２の輪郭は、前カバー４２１の外形に合わせた形状になっている。
【００３６】
前カバー爪受け１０３は、前カバー装着部１０２に前カバー４２１を取り付けた際に、前カバー４２１の後述する前カバー爪４２２を係合させる部位である。前カバー爪穴１０４は、前カバー爪受け１０３に前カバー爪４２２を係合させる際に、前カバー爪４２２を上ケース１０１の表側から裏側へと通すためのものである。前カバー爪穴１０４は、それぞれの前カバー爪受け１０３に対応して設けられている。そして、それぞれの前カバー爪受け１０３は、対応する前カバー爪穴１０４の奥に形成されている。
【００３７】
継手穴１０５は、上ケース１０１の表側と裏側とを貫通して形成された開口である。継手穴１０５には、後述する回転ブラシカバー１４１の継手部材装着部１４５が通される。継手カバー装着部１０６は、後述する継手カバー４０１を装着する部位である。継手カバー装着部１０６の輪郭は、継手カバー４０１の外形に合わせた形状をしている。継手カバー装着部１０６は、その周囲に比べ凹んでいる。継手カバー装着部１０６は、継手穴１０５の縁の外側に沿って設けられている。
【００３８】
図９に示すように、上ケース１０１の裏側の継手穴１０５の周囲には、継手カバー爪受け１０７が設けられている。継手カバー爪受け１０７は、継手カバー４０１の継手カバー爪４０２と係合する部位である。
【００３９】
図８に示すように、上ケース１０１における掃除機装着部３の上側を形成する部分の表側には、掃除機装着面１０８、掃除機逃げ凹部１０９、集塵ユニット取っ手逃げ凹部１１０、集塵ユニットレバー逃げ凹部１１１、傾斜部１１２、排気口逃げ凹部１１３及び掃除機受け部１１５が形成されている。
【００４０】
掃除機装着面１０８は、上ケース１０１の掃除機装着部３の上面のほぼ全域である。掃除機装着面１０８は、電気掃除機４の外形に合わせた形状で凹んでいる。掃除機逃げ凹部１０９は、掃除機装着面１０８のうち、電気掃除機４の排気口５０９に対向する位置から前方の部分である。ただし、掃除機装着面１０８のうち、排気口５０９に対向する部分は、後述する排気口逃げ凹部１１３に含まれ、掃除機逃げ凹部１０９には含まれない。
【００４１】
集塵ユニット取っ手逃げ凹部１１０は、掃除機装着面１０８のうち、電気掃除機４の集塵ユニット取っ手５３２に対向する位置から傾斜部１１２までの部分である。集塵ユニット取っ手逃げ凹部１１０の中央部には、前後方向に沿ってさらに凹んだ集塵ユニットレバー逃げ凹部１１１が形成されている。
【００４２】
集塵ユニットレバー逃げ凹部１１１は、電気掃除機４を吸込具１に装着する際に、集塵ユニット取っ手５３２から突出する集塵ユニットレバー５３３が、掃除機装着面１０８と干渉するのを避けるためのものである。集塵ユニットレバー逃げ凹部１１１は、集塵ユニット取っ手逃げ凹部１１０の底面部から始まり、傾斜部１１２、排気口逃げ凹部１１３と、上ケース１０１の掃除機装着部３の最後間まで続いている。このようにすることで、吸込具１に電気掃除機４を装着する際、集塵ユニットレバー５３３がどのような位置にあっても、集塵ユニットレバー５３３を動作させないようにすることができる。
【００４３】
掃除機装着面１０８のうち、集塵ユニット取っ手逃げ凹部１１０の後方側は、傾斜部１１２になっている。傾斜部１１２は、前方がより低く、後方にいくに従って次第に高くなる傾斜状になっている。傾斜部１１２の前端は、集塵ユニット取っ手逃げ凹部１１０に滑らかに接続されている。このように構成された傾斜部１１２は、集塵ユニット取っ手逃げ凹部１１０と排気口逃げ凹部１１３との間を、なだらかにつなぐ部分でもある。
【００４４】
排気口逃げ凹部１１３は、電気掃除機４の排気口５０９に対向する位置から後方の部分である。排気口逃げ凹部１１３は、掃除機逃げ凹部１０９より大きく凹んでいる。このため、吸込具１に電気掃除機４が装着された状態で、電気掃除機４の掃除機本体５０１と排気口逃げ凹部１１３との間に隙間が生じるようになっている。この隙間が、電気掃除機４の排気口５０９からの排気が通る排気風路となる。
【００４５】
上ケース１０１の掃除機装着部３の後端部分には、掃除機受け部１１５が形成されている。掃除機受け部１１５は、吸込具１に装着された電気掃除機４の後方部を支持するための部位である。ここでは、掃除機受け部１１５は、排気口逃げ凹部１１３に形成されている。
【００４６】
図９に示すように、上ケース１０１における掃除機装着部３の上側を形成する部分の裏側には、掃除機固定具回動面（上ケース側）１１６、掃除機固定具軸１１７、掃除機固定具支持リブ（上ケース側）１１８、掃除機固定具開口（傾斜突起側）１１９、掃除機固定具開口（固定突起側）１２０、後車輪室（上ケース側）１２１及び後車輪軸受（上ケース側）１２２が形成されている。
【００４７】
掃除機固定具回動面（上ケース側）１１６は、上ケース１０１の裏側における集塵ユニット取っ手逃げ凹部１１０の左右両側にそれぞれ形成された、円錐台状突起の端面である。掃除機固定具回動面（上ケース側）１１６は、後述する掃除機固定具２１１の掃除機固定具軸受２１４の端面を上側から押えるための面である。なお、掃除機固定具回動面（上ケース側）１１６は、吸込具１への電気掃除機４の装着方向と平行になるように形成される。このようにすることで、掃除機固定具２１１を、吸込具１への電気掃除機４の装着方向と平行に配置することができる。
【００４８】
掃除機固定具軸１１７は、それぞれの掃除機固定具回動面（上ケース側）１１６から突出して設けられている。この際の掃除機固定具軸１１７の突出方向は、掃除機固定具回動面（上ケース側）１１６に対して垂直である。掃除機固定具軸１１７は、掃除機固定具２１１が回転する際の支点となる。
【００４９】
なお、ここでは、掃除機固定具軸１１７の形状は、先細りのテーパー状になっている。これは、射出成形にて製造される上ケース１０１の抜き方向と、掃除機固定具２１１の配置角度とが異なっているためである。掃除機固定具軸１１７の形状を、上ケース１０１の射出成形時の抜き方向に合わせた角度のテーパー状にすることで、上ケース１０１の金型を、スライド機構を有しない簡潔なものにすることができる。
【００５０】
また、掃除機固定具軸１１７は、上ケース１０１と下ケース２６１をねじにて締結する際用いるねじボスを兼ねている。このようにすることで、掃除機固定具２１１が回転する際の支点となる掃除機固定具軸１１７の強度を向上することができるとともに、掃除機固定具２１１を上ケース１０１及び下ケース２６１へ強固に取り付けることができる。
【００５１】
掃除機固定具支持リブ（上ケース側）１１８は、上ケース１０１の裏側における掃除機固定具回動面（上ケース側）１１６の前後にそれぞれ形成されている。掃除機固定具支持リブ（上ケース側）１１８は、掃除機固定具２１１の回転時における、掃除機固定具２１１の後述する傾斜突起２１５及び固定突起２１６の移動を案内するための部位である。したがって、掃除機固定具支持リブ（上ケース側）１１８は、傾斜突起２１５及び固定突起２１６の移動する範囲に合わせた長さになっている。
【００５２】
集塵ユニット取っ手逃げ凹部１１０の左右の両側壁のそれぞれには、掃除機固定具開口（傾斜突起側）１１９が形成されている。掃除機固定具開口（傾斜突起側）１１９は、掃除機固定具２１１の傾斜突起２１５が上ケース１０１の表側へと突出するための開口である。また、集塵ユニット取っ手逃げ凹部１１０の左右の両側壁のそれぞれには、掃除機固定具開口（固定突起側）１２０も形成されている。掃除機固定具開口（固定突起側）１２０は、掃除機固定具２１１の固定突起２１６が上ケース１０１の表側へと突出するための開口である。
【００５３】
上ケース１０１の後端部分には、後車輪室（上ケース側）１２１が形成されている。後車輪室（上ケース側）１２１が配置される位置は、掃除機受け部１１５の裏側にあたっている。後車輪室（上ケース側）１２１は、前後左右の四方を囲うように設けられた壁部材の内側の空間である。後車輪室（上ケース側）１２１の内側には、後述する後車輪２４１のおおよそ上半分が収容される。
【００５４】
後車輪室（上ケース側）１２１を囲う壁部材のうちの左右に位置するものの下端部には、後車輪軸受（上ケース側）１２２がそれぞれ形成されている。後車輪軸受（上ケース側）１２２は、後車輪室（上ケース側）１２１の左右両側の壁部材の下端部が半円状に切り欠かれて形成される。後車輪軸受（上ケース側）１２２は、後車輪２４１の後述する後車輪軸２４３を支持するための部位である。
【００５５】
次に、図１０から図１２を参照しながら、下ケース２６１の構成について説明する。下ケース２６１は、主に、吸込具１の下側の外殻を構成する部材である。下ケース２６１により、吸込部２の下側と掃除機装着部３の下側とが一体に形成される。
【００５６】
下ケース２６１における吸込部２の下側を形成する部分には、下カバー収納部２６３、前側吸込口（下ケース側）２６４、被清掃面押えリブ（下ケース側）２６５、回転ブラシ軸受収納部２６６及び回転ブラシ軸端面受け２６７、大歯車室（下ケース側）２６８、前車輪室（下ケース側）２６９、前車輪開口２７０、外側前車輪軸受（下ケース側）２７１及び内側前車輪軸受（下ケース側）２７２、中央前車輪軸受（下ケース側）２７３、下カバー止め具装着部２７４及び乗り上げ突起（下ケース側）２７５、指掛け部凹み２７６、並びに、下カバー軸受（下ケース側）２７７が形成されている。
【００５７】
下カバー収納部２６３は、下ケース２６１の下面に形成された開口と、当該開口から下ケース２６１の内側へと続く空間とからなる。下カバー収納部２６３は、後述する下カバー組立３１１が収まるように形成された空間である。
【００５８】
下ケース２６１の下面における下カバー収納部２６３の開口より前方側には、前側吸込口（下ケース側）２６４が形成されている。前側吸込口（下ケース側）２６４が形成される部分の下ケース２６１の下面が、その周囲よりも上方に凹むことで、当該部分に開口が形成されている。この開口が前側吸込口（下ケース側）２６４である。前側吸込口（下ケース側）２６４は、吸込具１の前方にある比較的大きなゴミを吸い込むための開口である。前側吸込口（下ケース側）２６４は、下カバー収納部２６３の前端から下ケース２６１の前端部まで続いている。
【００５９】
前側吸込口（下ケース側）２６４には、複数の被清掃面押えリブ（下ケース側）２６５が設けられている。それぞれの被清掃面押えリブ（下ケース側）２６５は、前後方向に沿って配置されている。被清掃面押えリブ（下ケース側）２６５は、例えば、ふとんに掛けられたシーツまでも吸い込まぬよう、被清掃面を押え付けるための部位である。それぞれの被清掃面押えリブ（下ケース側）２６５の下端の位置は、前車輪組立１８１の前車輪走行面１９０と後車輪２４１の後車輪走行面２４２とに接する面（すなわち、被清掃面）より上側にある。このようにすることで、吸込具１がフローリング等の固い被清掃面で使用された場合でも、被清掃面押えリブ（下ケース側）２６５が被清掃面に当たることがないようにできる。
【００６０】
下カバー収納部２６３の左右両側には、回転ブラシ軸受収納部２６６がそれぞれ形成されている。下ケース２６１の下面における下カバー収納部２６３の左右両側にそれぞれ形成された開口と、当該開口から下ケース２６１の内側へと続く空間とからなる。回転ブラシ軸受収納部２６６は、下カバー組立３１１の後述する小歯車室（下カバー側）３１９が収まるように形成された空間である。それぞれの回転ブラシ軸受収納部２６６の左右の外側に設けられた壁の上部には、回転ブラシ軸端面受け２６７がそれぞれ形成されている。回転ブラシ軸端面受け２６７は、後述する回転ブラシ組立３５１の左右両側に取り付けられた回転ブラシ軸３５６の両端面を押えるための部位である。
【００６１】
それぞれの回転ブラシ軸受収納部２６６の後方には、大歯車室（下ケース側）２６８がそれぞれ設けられている。大歯車室（下ケース側）２６８は、後述する前車輪組立１８１の大歯車（駆動歯車）１８７のおおよそ下半分を収容するための空間である。それぞれの大歯車室（下ケース側）２６８の左右の外側には、前車輪室（下ケース側）２６９がそれぞれ設けられている。前車輪室（下ケース側）２６９は、前車輪組立１８１の前車輪部のおおよそ下半分を収容するための空間である。
【００６２】
それぞれの前車輪室（下ケース側）２６９の下端面は、下ケース２６１の下面において開口となっている。このそれぞれの前車輪室（下ケース側）２６９の下端の開口が、前車輪開口２７０である。前車輪開口２７０は、前車輪室（下ケース側）２６９に収容された前車輪組立１８１のタイヤ１８９の前車輪走行面１９０を、下ケース２６１の下面から下方に露出させるためのものである。
【００６３】
それぞれの前車輪室（下ケース側）２６９の左右の外側には、外側前車輪軸受（下ケース側）２７１がそれぞれ設けられている。それぞれの大歯車室（下ケース側）２６８の左右方向中心側には、内側前車輪軸受（下ケース側）２７２がそれぞれ設けられている。また、左右それぞれの大歯車室（下ケース側）２６８と前車輪室（下ケース側）２６９との間には、中央前車輪軸受（下ケース側）２７３がそれぞれ設けられている。これらの外側前車輪軸受（下ケース側）２７１、内側前車輪軸受（下ケース側）２７２及び中央前車輪軸受（下ケース側）２７３は、前車輪組立１８１の前車輪軸１８６を支持するための部位である。
【００６４】
それぞれの回転ブラシ軸受収納部２６６の左右の外側には、下カバー止め具装着部２７４がそれぞれ設けられている。下カバー止め具装着部２７４は、後述する下カバー止め具３０１を装着するための部位である。それぞれの下カバー止め具装着部２７４の上側には、乗り上げ突起（下ケース側）２７５がそれぞれ設けられている（図１２）。乗り上げ突起（下ケース側）２７５は、下カバー止め具３０１の後述する乗り上げ突起（下カバー止め具側）３０３と組み合わせて用いられることにより、下カバー組立３１１の閉状態を保持及び解除する機能を実現するためのものである。
【００６５】
下ケース２６１の下面における、それぞれの乗り上げ突起（下ケース側）２７５の下側には、指掛け部凹み２７６がそれぞれ形成されている。指掛け部凹み２７６は、下カバー止め具３０１の後述する指掛け部３０４が収まるところである。指掛け部凹み２７６の外形は、指掛け部３０４の外形と指掛け部３０４がスライドする（この指掛け部３０４のスライドについては後述する）範囲とを合わせた形状になっている。また、指掛け部凹み２７６は、下ケース２６１の下面に対して指掛け部３０４の厚みより大きく上方に凹んでいる。このようにすることで、指掛け部３０４の下端を下ケース２６１の下面よりも上方に位置させることができ、指掛け部３０４と被清掃面との接触を防止することができる。なお、下ケース２６１の下面よりも凹んだ位置に指掛け部３０４が配置されるので、指掛け部３０４に指を掛けやすくするために、指掛け部凹み２７６の周囲になだらかな傾斜面が形成されている。
【００６６】
下カバー収納部２６３の後端部における左右両端部には、下カバー軸受（下ケース側）２７７がそれぞれ形成されている。下カバー軸受（下ケース側）２７７は、下カバー３１２の後述する下カバー軸３２２を支持するための部位である。
【００６７】
下ケース２６１における掃除機装着部３の下側を形成する部分には、掃除機固定具回動面（下ケース側）２７８、掃除機固定具支持リブ（下ケース側）２７９、後車輪室（下ケース側）２８０、後車輪開口２８１、後車輪軸受（下ケース側）２８２及び底面凹み２８３が形成されている。
【００６８】
上ケース１０１と下ケース２６１とを組み合わせた際に、掃除機固定具軸１１７と対向する位置には、掃除機固定具回動面（下ケース側）２７８が形成されている。掃除機固定具回動面（下ケース側）２７８は、円錐台状突起の端面である。掃除機固定具回動面（下ケース側）２７８は、掃除機固定具２１１の掃除機固定具軸受２１４の端面を下側から押えるための面である。なお、掃除機固定具回動面（下ケース側）２７８は、吸込具１への電気掃除機４の装着方向と平行になるように形成される。このようにすることで、掃除機固定具２１１を、吸込具１への電気掃除機４の装着方向と平行に配置することができる。
【００６９】
また、掃除機固定具回動面（下ケース側）２７８は、上ケース１０１と下ケース２６１をねじにて締結する際用いるねじ穴を兼ねている。このようにすることで、掃除機固定具２１１が回転する際の支点となる掃除機固定具軸１１７の強度を向上することができるとともに、掃除機固定具２１１を上ケース１０１及び下ケース２６１へ強固に取り付けることができる。
【００７０】
掃除機固定具支持リブ（下ケース側）２７９は、下ケース２６１の内側における掃除機固定具回動面（下ケース側）２７８の前後にそれぞれ形成されている。掃除機固定具支持リブ（下ケース側）２７９は、掃除機固定具２１１の回転時における、掃除機固定具２１１の傾斜突起２１５及び固定突起２１６の移動を案内するためのものである。したがって、掃除機固定具支持リブ（下ケース側）２７９は、傾斜突起２１５及び固定突起２１６の移動する範囲に合わせた長さになっている。
【００７１】
下ケース２６１の後端部分には、後車輪室（下ケース側）２８０が形成されている。後車輪室（下ケース側）２８０は、上ケース１０１と下ケース２６１とを組み合わせた際に、後車輪室（上ケース側）１２１と対向する位置に配置される。後車輪室（下ケース側）２８０は、前後左右の四方を囲うように設けられた壁部材の内側の空間である。後車輪室（下ケース側）２８０の内側には、後車輪２４１の後車輪軸２４３より下側の一部が収容される。
【００７２】
後車輪室（下ケース側）２８０の下端面は、下ケース２６１の下面において開口となっている。この後車輪室（下ケース側）２８０の下端の開口が後車輪開口２８１である。後車輪開口２８１は、後車輪２４１の後車輪走行面２４２を、下ケース２６１の下面から下方に露出させるためのものである。
【００７３】
後車輪室（下ケース側）２８０を囲う壁部材のうちの左右に位置するものの上端部には、後車輪軸受（下ケース側）２８２がそれぞれ形成されている。後車輪軸受（下ケース側）２８２は、後車輪室（下ケース側）２８０の左右両側の壁部材の上端部が半円状に切り欠かれて形成される。後車輪軸受（下ケース側）２８２は、後車輪２４１の後車輪軸２４３を支持するための部位である。
【００７４】
下ケース２６１の下面の一部は、上方に凹んで底面凹み２８３を形成している。下ケース２６１の下面に、底面凹み２８３を設けることで、例えば寝具等の柔らかい被清掃面と下ケース２６１の下面とが接触する面積を小さくして、被清掃面上で吸込具１を動かす際の接触抵抗を低減することができる。
【００７５】
図８及び図９に示すように、上ケース１０１には、複数のねじボス（上ケース側）１２３及びねじ穴（上ケース側）１２４が設けられている。また、図１０及び図１１に示すように、下ケース２６１には、複数のねじボス（下ケース側）２８５及びねじ穴（下ケース側）２８４が設けられている。これらのねじボス及びねじ穴は、上ケース１０１と下ケース２６１とを組み合わせたときに、対応するねじボスとねじ穴とが互いに対向するように配置されている。
【００７６】
これらのねじボスとねじ穴を用いてねじで締結することで、上ケース１０１と下ケース２６１とが組み合わされた状態で固定される。この際、上ケース１０１と下ケース２６１とが十分強固に組み合わされるように、これらのねじボスとねじ穴の配置が調整されている。
【００７７】
なお、上ケース１０１と下ケース２６１とを組み合わせたとき、後車輪室（上ケース側）１２１と後車輪室（下ケース側）２８０とが組み合わされて、後車輪室が形成される。このようにして形成された後車輪室は、吸込具１の他の内部空間とは隔離される。
【００７８】
次に、図１３及び図１４を参照しながら、回転ブラシカバー１４１の構成について説明する。回転ブラシカバー１４１は、上ケース１０１と下ケース２６１の間に挟まれるようにして、吸込部２の内部に固定される。回転ブラシカバー１４１は、吸込部２に取り付けられた回転ブラシ組立３５１の上方を覆うとともに、吸込部２の下面に形成される吸込開口３１４等から吸い込んだ塵埃を、電気掃除機４の集塵ユニット５３１へ運ぶ経路の一部を構成する。
【００７９】
回転ブラシカバー１４１は、主に塵埃の吸い込みに関連する構成と、主に回転ブラシ組立３５１の駆動に関連する構成とを備えている。まず、回転ブラシカバー１４１が備える主に塵埃の吸い込みに関連する構成について説明する。回転ブラシカバー１４１には、主に塵埃の吸い込みに関連して、回転ブラシ室（回転ブラシカバー側）１４２、円弧壁（回転ブラシカバー側）１４３、吸込風路（回転ブラシカバー側）１４４、継手部材装着部１４５及びねじボス（回転ブラシカバー側）１４７が形成されている。
【００８０】
回転ブラシカバー１４１の内側中央には、回転ブラシ室（回転ブラシカバー側）１４２が形成されている。回転ブラシ室（回転ブラシカバー側）１４２は、回転ブラシ組立３５１の上方を覆うように形成された空間である。回転ブラシ室（回転ブラシカバー側）１４２の上方には、円弧壁（回転ブラシカバー側）１４３が形成されている。円弧壁（回転ブラシカバー側）１４３の径は、回転ブラシ組立３５１の後述する植毛３５４の先端が描く円の径より、一定の余裕をもって大きくなっている。
【００８１】
回転ブラシ室（回転ブラシカバー側）１４２の前方から上方へかけて、吸込風路（回転ブラシカバー側）１４４が形成されている。吸込風路（回転ブラシカバー側）１４４は、後述する吸込風路（下カバー側）３１６と組み合わされて、吸込部２が吸い込んだ塵埃を集塵ユニット５３１へ運ぶ経路の最初の部分を構成する。吸込風路（回転ブラシカバー側）１４４の境界の一部は、円弧壁（回転ブラシカバー側）１４３の外壁により構成されている。
【００８２】
吸込風路（回転ブラシカバー側）１４４の上端部分には、継手部材装着部１４５が形成されている。継手部材装着部１４５には、継手部材３７１が装着される。継手部材装着部１４５は、継手部材３７１に設けられた後述する管路３７４の継手フランジ３７５より下方の部分を覆う壁部材からなる。継手部材装着部１４５は、回転ブラシ室（回転ブラシカバー側）１４２の上方に配置される。
【００８３】
継手部材装着部１４５の上端には、シール面１４６が形成されている。シール面１４６には、継手部材３７１の後述するシール部材３９１が当接する。継手部材装着部１４５の前側及び左右両側には、ねじボス（回転ブラシカバー側）１４７が設けられている。これらのねじボス（回転ブラシカバー側）１４７は、ねじで継手部材３７１を継手部材装着部１４５に締結する際に用いられる。
【００８４】
次に、回転ブラシカバー１４１には、主に回転ブラシ組立３５１の駆動に関連して、小歯車室（回転ブラシカバー側）１４８、外側回転ブラシ軸受（回転ブラシカバー側）１４９及び内側回転ブラシ軸受（回転ブラシカバー側）１５０、大歯車室（回転ブラシカバー側）１５１、前車輪室（回転ブラシカバー側）１５２、外側前車輪軸受（回転ブラシカバー側）１５３、内側前車輪軸受（回転ブラシカバー側）１５４及び中央前車輪軸受（回転ブラシカバー側）１５５、並びに、下カバー軸受（回転ブラシカバー側）１５６が形成されている。
【００８５】
小歯車室（回転ブラシカバー側）１４８は、回転ブラシ室（回転ブラシカバー側）１４２の左右両側にそれぞれ形成されている。小歯車室（回転ブラシカバー側）１４８は、回転ブラシ組立３５１が備える小歯車（被動歯車）３５７のおおよそ上半分を覆うように形成された空間である。
【００８６】
それぞれの小歯車室（回転ブラシカバー側）１４８の左右両側には、外側回転ブラシ軸受（回転ブラシカバー側）１４９及び内側回転ブラシ軸受（回転ブラシカバー側）１５０が設けられている。これらの外側回転ブラシ軸受（回転ブラシカバー側）１４９及び内側回転ブラシ軸受（回転ブラシカバー側）１５０は、回転ブラシ組立３５１の回転ブラシ軸３５６を支持するための部位である。
【００８７】
なお、これらの軸受のうち、回転ブラシ軸３５６の両端を支持する外側回転ブラシ軸受（回転ブラシカバー側）１４９が主たる軸受である。外側回転ブラシ軸受（回転ブラシカバー側）１４９の軸受面は、内側回転ブラシ軸受（回転ブラシカバー側）１５０より広くなっている。これは、被清掃面に対する反力、すなわち、吸込具１及び電気掃除機４の質量と使用者の操作力とを受け止めるのが上側の軸受だからである。
【００８８】
それぞれの小歯車室（回転ブラシカバー側）１４８の後方には、大歯車室（回転ブラシカバー側）１５１がそれぞれ設けられている。大歯車室（回転ブラシカバー側）１５１は、前車輪組立１８１が備える大歯車（駆動歯車）１８７のおおよそ上半分を覆うように形成された空間である。それぞれの大歯車室（回転ブラシカバー側）１５１の左右の外側には、前車輪室（回転ブラシカバー側）１５２が設けられている。前車輪室（回転ブラシカバー側）１５２は、前車輪組立１８１の前車輪部のおおよそ上半分が収容される空間である。
【００８９】
それぞれの前車輪室（回転ブラシカバー側）１５２の左右の外側には、外側前車輪軸受（回転ブラシカバー側）１５３がそれぞれ設けられている。それぞれの大歯車室（回転ブラシカバー側）１５１の左右方向の中心側には、内側前車輪軸受（回転ブラシカバー側）１５４がそれぞれ設けられている。それぞれの前車輪室（回転ブラシカバー側）１５２と大歯車室（回転ブラシカバー側）１５１との間には、中央前車輪軸受（回転ブラシカバー側）１５５がそれぞれ設けられている。
【００９０】
これらの外側前車輪軸受（回転ブラシカバー側）１５３、内側前車輪軸受（回転ブラシカバー側）１５４及び中央前車輪軸受（回転ブラシカバー側）１５５は、前車輪組立１８１の前車輪軸１８６を支持するための部位である。なお、これらの軸受のうち、前車輪軸１８６の左右両端を支持する外側前車輪軸受（回転ブラシカバー側）１５３及び内側前車輪軸受（回転ブラシカバー側）１５４が主たる軸受である。外側前車輪軸受（回転ブラシカバー側）１５３及び内側前車輪軸受（回転ブラシカバー側）１５４の軸受面は、外側回転ブラシ軸受（回転ブラシカバー側）１４９と同様の理由により、中央前車輪軸受（回転ブラシカバー側）１５５よりも広くなっている。
【００９１】
回転ブラシ室（回転ブラシカバー側）１４２の後方の左右には、下カバー軸受（回転ブラシカバー側）１５６がそれぞれ設けられている。下カバー軸受（回転ブラシカバー側）１５６は、下カバー３１２の下カバー軸３２２を支持するための部位である。
【００９２】
なお、回転ブラシカバー１４１には、固定部１５７も形成されている。固定部１５７は、回転ブラシカバー１４１の周囲に、複数形成されている。ねじボス（上ケース側）１２３及びねじ穴（上ケース側）１２４、並びに、ねじボス（下ケース側）２８５及びねじ穴（下ケース側）２８４の先端部分を覆う形状の凹みが形成されている。固定部１５７は、上ケース１０１と下ケース２６１をねじにて締結する際、これらのねじボス及びねじ穴の間に挟み込まれる。このようにして、固定部１５７により、回転ブラシカバー１４１を吸込部２の内部における所定の位置に固定される。
【００９３】
次に、図１５から図１８を参照しながら、前車輪組立１８１の構成について説明する。前車輪組立１８１は、回転ブラシカバー１４１と下ケース２６１とを組み合わせた際に、前車輪室（回転ブラシカバー側）１５２及び前車輪室（下ケース側）２６９により形成される前車輪室に回転自在に装着される。前車輪組立１８１は、吸込具１を被清掃面上で動かした際における吸込具１と被清掃面との接触抵抗を減らして操作性を向上させるためのものである。さらに、吸込具１を被清掃面上で動かした際に生じる前車輪組立１８１の回転力は、回転ブラシ組立３５１の回転の駆動源として用いられる。
【００９４】
前車輪組立１８１は、その主体をなすリム１８２、前車輪軸１８６、大歯車（駆動歯車）１８７等が一体に形成された部材と、タイヤ１８９とで構成されている。リム１８２、前車輪軸１８６、大歯車（駆動歯車）１８７等が一体に形成された部材は、例えばプラスチック等の硬質材により構成される。タイヤ１８９は、例えばエラストマー等の軟質材により構成される。
【００９５】
リム１８２は、厚みのある円板状を呈する。リム１８２の外周面の両端部には、円周に沿って外側フランジ１８３及び内側フランジ１８４が形成されている。リム１８２の外周面には、回り止め突起受け１８５が形成されている。回り止め突起受け１８５は、リム１８２の外周面に形成された凹部である。
【００９６】
リム１８２の円板状の中心には、前車輪軸１８６が設けられている。前車輪軸１８６は、大歯車（駆動歯車）１８７及びタイヤ１８９を含む前車輪組立１８１の回転支点となる。前車輪軸１８６は、回転ブラシカバー１４１と下ケース２６１とが組み合わされた際に、外側前車輪軸受１５３、２７１と内側前車輪軸受１５４、２７２と中央前車輪軸受１５５、２７３とにより支持される。
【００９７】
前車輪軸１８６には、大歯車（駆動歯車）１８７が設けられている。リム１８２と大歯車（駆動歯車）１８７とは同軸、すなわち、リム１８２の回転軸と大歯車（駆動歯車）１８７の回転軸とは共通しており、この共通する回転軸が前車輪軸１８６である。大歯車（駆動歯車）１８７は、回転ブラシ組立３５１の小歯車（被動歯車）３５７と噛み合って動力を伝達するためのものである。前車輪軸１８６のリム１８２と大歯車（駆動歯車）１８７との間には、円板１８８が設けられている。円板１８８も、リム１８２及び大歯車（駆動歯車）１８７と同軸である。
【００９８】
リム１８２の外周面には、タイヤ１８９が装着される。タイヤ１８９は、吸込具１の使用時に被清掃面と接する部材である。タイヤ１８９の外周面には凹凸のパターン１９１が形成されている。タイヤ１８９の内周面には回り止め突起１９２が形成されている。回り止め突起１９２は、タイヤ１８９をリム１８２に装着した際に、リム１８２の回り止め突起受け１８５内にはまるようになっている。タイヤ１８９のパターン１９１の凸となっている最も外側の部分が前車輪走行面１９０を形成している。
【００９９】
次に、図１９を参照しながら、掃除機固定具２１１の構成について説明する。掃除機固定具２１１は、吸込具１に電気掃除機４を装着した際、電気掃除機４の集塵ユニット取っ手５３２を、左右両側から固定するためのものである。掃除機固定具２１１は、上ケース１０１と下ケース２６１とが組み合わされた際に、掃除機固定具回動面（上ケース側）１１６と掃除機固定具回動面（下ケース側）２７８とに挟まれて、上ケース１０１と下ケース２６１との間に配置される。
【０１００】
掃除機固定具２１１は、左右対称な一対の部材と掃除機固定具ばね２３１とを備えている。掃除機固定具２１１が備える前記一対の部材のそれぞれには、腕部２１２、補強リブ２１３、掃除機固定具軸受２１４、傾斜突起２１５、固定突起２１６、逃げ面２１７及びばね掛け部２１８が形成されている。
【０１０１】
腕部２１２及び補強リブ２１３は、断面が略コの字からなる、掃除機固定具２１１の主体をなすものである。腕部２１２及び補強リブ２１３の前後方向中央には、掃除機固定具軸受２１４が設けられている。掃除機固定具軸受２１４内には、上ケース１０１に形成された掃除機固定具軸１１７が挿入される。掃除機固定具軸受２１４の内面は、掃除機固定具軸１１７の形状に合わせて、テーパー状になっている。掃除機固定具２１１は、掃除機固定具軸受２１４を軸にして、予め定められた範囲内で両方向に回転可能に取り付けられる。
【０１０２】
傾斜突起２１５は、腕部２１２の前側において左右方向の中心側に向けて突出して形成されている。傾斜突起２１５は、カムの働きを持つもので、吸込具１に電気掃除機４が装着される際に集塵ユニット取っ手５３２により押される部位である。固定突起２１６は、腕部２１２の後端部において左右方向の中心側に向けて突出して形成されている。固定突起２１６は、吸込具１に電気掃除機４が装着される際に、集塵ユニット取っ手５３２の取っ手フランジ５３４に係合する部位である。固定突起２１６の集塵ユニット取っ手５３２に対向する先端部には、逃げ面２１７が形成されている。逃げ面２１７は、固定突起２１６が集塵ユニット取っ手５３２に接触する面積を、必要最小限にするために形成されている。
【０１０３】
掃除機固定具ばね２３１は、初張力を有する引張コイルばねである。掃除機固定具ばね２３１の両端には、丸フックが形成されている。掃除機固定具ばね２３１の丸フックは、腕部２１２の前端部に形成されたばね掛け部２１８にそれぞれ引っ掛けられる。掃除機固定具ばね２３１は、傾斜突起２１５が内側方向に移動し、固定突起２１６が外側方向に移動する向きに、掃除機固定具２１１を回転させるように付勢している。
【０１０４】
次に、図２０を参照しながら、後車輪２４１の構成について説明する。後車輪２４１は、掃除機装着部３の幅に見合った幅広の車輪である。後車輪２４１は、後車輪走行面２４２、後車輪軸２４３及び後車輪リブ２４４を備えている。後車輪走行面２４２は、中央部の外径より左右の端部の外径が小さい、樽形の面に形成されている。後車輪軸２４３は、後車輪走行面２４２の内周側に形成された後車輪リブ２４４により支持され、後車輪２４１の内部を貫通し、左右の先端は後車輪走行面２４２の左右両端部よりも突出している。
【０１０５】
後車輪２４１は、吸込具１の後端部において、上ケース１０１と下ケース２６１とが組み合わされた際に、後車輪軸受（上ケース側）１２２と後車輪軸受（下ケース側）２８２とにより後車輪軸２４３が挟まれて回転自在に支持されている。後車輪２４１は、後車輪室（上ケース側）１２１と後車輪室（下ケース側）２８０とにより形成される後車輪室内にほぼ収容される。後車輪２４１は、吸込具１を被清掃面に対して移動させた際の吸込具１と被清掃面との抵抗を低減し、操作性を向上させるためのものである。
【０１０６】
次に、図２１を参照しながら、下カバー止め具３０１の構成について説明する。下カバー止め具３０１は、下カバー組立３１１が、下ケース２６１の下カバー収納部２６３内において、下ケース２６１の下面とほぼ平行な状態（これを「下カバー組立３１１の閉状態」と呼ぶ）を保持するためのものである。下カバー止め具３０１は、下ケース２６１の左右に形成された下カバー止め具装着部２７４に、スライド可能にそれぞれ装着されている。
【０１０７】
下カバー止め具３０１は、止め部３０２、乗り上げ突起（下カバー止め具側）３０３及び指掛け部３０４を備えている。止め部３０２は、下カバー３１２の後述する止め具受け３２４に係合する部位である。乗り上げ突起（下カバー止め具側）３０３は、下カバー止め具３０１を左右方向にスライドさせた場合に、乗り上げ突起（下ケース側）２７５を乗り込えて移動する部位である。
【０１０８】
下カバー止め具３０１をスライドさせて、乗り上げ突起（下カバー止め具側）３０３が、乗り上げ突起（下ケース側）２７５より左右方向の中心側に位置する時は、止め部３０２が左右方向の中心側に突出する。そして、突出した止め部３０２が止め具受け３２４内に挿入され、下カバー組立の閉状態を保持することができる。下カバー止め具３０１をスライドさせて、乗り上げ突起（下カバー止め具側）３０３が、乗り上げ突起（下ケース側）２７５より左右方向の外側に位置する時は、止め部３０２が引っ込んで止め部３０２は止め具受け３２４から外れる。この状態では、下カバー組立の閉状態を解除することができる。
【０１０９】
下カバー組立の閉状態を保持する位置から解除する位置へ（又は逆に）下カバー止め具３０１をスライドさせる際には、乗り上げ突起（下カバー止め具側）３０３が、乗り上げ突起（下ケース側）２７５を乗り越える必要がある。これが下カバー止め具３０１をスライドさせる抵抗となり、意図せずに下カバー組立の閉状態を保持する位置から解除する位置へ（又は逆に）下カバー止め具３０１が移動してしまうことを防止することができる。
【０１１０】
指掛け部３０４は、下カバー止め具３０１をスライドさせる際に使用者が操作するための部位である。なお、指掛け部３０４は、下カバー止め具３０１を下カバー止め具装着部２７４に装着した際、下ケース２６１に形成された指掛け部凹み２７６内に収まる。
【０１１１】
次に、図２２及び図２３を参照しながら、下カバー組立３１１の構成について説明する。下カバー組立３１１は、その主体をなす下カバー３１２と傾斜パイル３４１とを備えている。下カバー組立３１１は、下ケース２６１に形成された下カバー収納部２６３に、開閉可能に装着されている。
【０１１２】
下カバー３１２は、回転ブラシ室（下カバー側）３１３、吸込開口３１４、円弧壁（下カバー側）３１５、吸込風路（下カバー側）３１６、前側吸込口（下カバー側）３１７、被清掃面押えリブ（下カバー側）３１８、小歯車室（下カバー側）３１９、外側回転ブラシ軸受（下カバー側）３２０、内側回転ブラシ軸受（下カバー側）３２１、下カバー軸３２２、下カバー軸スリット３２３及び止め具受け３２４が形成されている。
【０１１３】
回転ブラシ室（下カバー側）３１３は、回転ブラシ組立３５１のおおよそ下半分を覆うように形成された空間である。回転ブラシ室（下カバー側）３１３の下端面は開口されている。この開口が、吸込開口３１４である。吸込開口３１４は、下カバー３１２における被清掃面に対向する面に形成されている。吸込開口３１４は、被清掃面の塵埃を吸い込むための開口である。
【０１１４】
円弧壁（下カバー側）３１５は、回転ブラシ室（下カバー側）３１３のおおよそ下半分の後方側を閉塞する壁である。円弧壁（下カバー側）３１５の径は、回転ブラシ組立３５１の後述する植毛３５４の先端が描く円の径より、一定の余裕をもって大きくなっている。吸込風路（下カバー側）３１６は、吸込風路（回転ブラシカバー側）１４４と組み合わされて、吸込部２が吸い込んだ塵埃を集塵ユニット５３１へ運ぶ経路の最初の部分を構成する。吸込風路（下カバー側）３１６は、回転ブラシ室（下カバー側）３１３の前方に形成されている。
【０１１５】
吸込風路（下カバー側）３１６と壁部を隔てた下方側には、前側吸込口（下カバー側）３１７が形成されている。前側吸込口（下カバー側）３１７と吸込風路（下カバー側）３１６との間の壁部は、下カバー３１２の下面の他部よりも上方に凹んでいる。こうして、当該壁部と下カバー３１２の下面の他部を延長した面との間に空間が形成され、当該空間の下端面が前側吸込口（下カバー側）３１７として機能するようになっている。前側吸込口（下カバー側）３１７は、進行方向にある比較的大きなゴミを吸い込むための開口である。
【０１１６】
前側吸込口（下カバー側）３１７には、複数の被清掃面押えリブ（下カバー側）３１８が設けられている。それぞれの被清掃面押えリブ（下カバー側）３１８は、前後方向に沿って配置されている。被清掃面押えリブ（下カバー側）３１８は、例えば、ふとんに掛けられたシーツまでも吸い込まぬよう、被清掃面を押え付けるための部位である。それぞれの被清掃面押えリブ（下カバー側）３１８の下端の位置は、前車輪組立１８１の前車輪走行面１９０と後車輪２４１の後車輪走行面２４２とに接する面（すなわち、被清掃面）より上側にある。このようにすることで、吸込具１がフローリング等の固い被清掃面で使用された場合でも、被清掃面押えリブ（下カバー側）３１８が被清掃面に当たることがないようにできる。
【０１１７】
小歯車室（下カバー側）３１９は、回転ブラシ室（下カバー側）３１３の左右両側にそれぞれ形成されている。小歯車室（下カバー側）３１９は、回転ブラシ組立３５１が備える小歯車（被動歯車）３５７のおおよそ下半分を覆うように形成された空間である。それぞれの小歯車室（下カバー側）３１９の左右両側には、外側回転ブラシ軸受（下カバー側）３２０及び内側回転ブラシ軸受（下カバー側）３２１が設けられている。これらの外側回転ブラシ軸受（下カバー側）３２０及び内側回転ブラシ軸受（下カバー側）３２１は、回転ブラシ組立３５１の回転ブラシ軸３５６を支持するための部位である。
【０１１８】
下カバー３１２の後部の左右両端には、下カバー軸３２２がそれぞれ設けられている。各下カバー軸３２２は、下カバー３１２の後部の左右両端から、左右外側に向かって突出している。各下カバー軸３２２は、下カバー軸受（下ケース側）２７７と下カバー軸受（回転ブラシカバー側）１５６とで形成された下カバー軸受内に配置される。下カバー軸３２２は、下カバー組立３１１が下ケース２６１に対して回転する際の軸となる部位である。
【０１１９】
各下カバー軸３２２の先端には、下カバー軸スリット３２３が形成されている。下カバー軸スリット３２３は、下カバー軸３２２が軸方向に引っ込み易くなるよう設けたものである。これにより、下カバー組立３１１が開いた状態で過負荷が加わっても、破損することなく下カバー組立３１１を取り外すことができる。
【０１２０】
下カバー３１２の前部の左右両端部には、止め具受け３２４が設けられている。各止め具受け３２４は、小歯車室（下カバー側）３１９の左右の外側に配置されている。各止め具受け３２４は、左右の外側に向けて開放された凹部を備えている。各止め具受け３２４は、下カバー組立３１１が閉状態のときに、下カバー止め具３０１の止め部３０２が挿入される部位である。
【０１２１】
下カバー３１２の下面（すなわち、被清掃面に対向する面）における吸込開口３１４より後方には、傾斜パイル貼付け部３２５が形成されている。そして、傾斜パイル貼付け部３２５には、傾斜パイル３４１が、例えば両面テープ等を用い固着されている。傾斜パイル３４１は、被清掃面から塵埃を取り除くためのものである。傾斜パイル３４１は、特に、繊維に絡みついた塵埃を取り除くのに適している。
【０１２２】
次に、図２４を参照しながら、回転ブラシ組立３５１の構成について説明する。回転ブラシ組立３５１は、回転ブラシ室（回転ブラシカバー側）１４２と回転ブラシ室（下カバー側）３１３とが組み合わされて構成される回転ブラシ室内に回転自在に取り付けられる。回転ブラシ組立３５１は、被清掃面の塵埃をかき上げるためのものである。回転ブラシ組立３５１は、植毛支持具３５２、植毛３５４、キャップ３５５、回転ブラシ軸３５６及び小歯車（被動歯車）３５７を備えている。なお、キャップ３５５、回転ブラシ軸３５６及び小歯車（被動歯車）３５７は、一体に形成されている。
【０１２３】
植毛支持具３５２は、軸方向に細長い円筒状の部材である。植毛支持具３５２の円筒面には、複数の植毛装着溝３５３が螺旋状に形成されている。複数の植毛装着溝３５３には、植毛３５４がそれぞれ取り付けられている。植毛３５４は、複数の繊維を束ねたもので、実際に被清掃面と接する部材である。
【０１２４】
植毛支持具３５２の軸方向の両端面には、キャップ３５５、回転ブラシ軸３５６及び小歯車（被動歯車）３５７が一体に形成された部材がそれぞれ取り付けられている。当該部材は、特にキャップ３５５が植毛支持具３５２の両端面に取り付けられることで、植毛支持具３５２に取り付けられる。各キャップ３５５は、例えば接着剤等を用いて植毛支持具３５２に固着されている。キャップ３５５は、複数の植毛装着溝３５３に装着された植毛３５４が、その植毛装着溝３５３の端部から抜け落ちるのを防止するものである。
【０１２５】
それぞれのキャップ３５５からは、回転ブラシ軸３５６が突出して設けられている。回転ブラシ軸３５６は、植毛支持具３５２の軸の延長上に沿って配置されている。回転ブラシ軸３５６は、外側回転ブラシ軸受及び内側回転ブラシ軸受により支持される。外側回転ブラシ軸受は、外側回転ブラシ軸受（回転ブラシカバー側）１４９と外側回転ブラシ軸受（下カバー側）３２０とが組み合わされて構成される。内側回転ブラシ軸受は、内側回転ブラシ軸受（回転ブラシカバー側）１５０と内側回転ブラシ軸受（下カバー側）３２１とが組み合わされて構成される。回転ブラシ軸３５６は、回転ブラシ組立３５１の回転軸となる。
【０１２６】
各回転ブラシ軸３５６には、小歯車（被動歯車）３５７がそれぞれ設けられている。植毛支持具３５２と各小歯車（被動歯車）３５７とは同軸、すなわち、植毛支持具３５２の回転軸と各小歯車（被動歯車）３５７の回転軸とは共通しており、この共通する回転軸が回転ブラシ軸３５６である。小歯車（被動歯車）３５７は、前車輪組立１８１の大歯車（駆動歯車）１８７と噛み合って、大歯車（駆動歯車）１８７から動力を受け取るためのものである。
【０１２７】
次に、図２５から図２７を参照しながら、継手部材３７１の構成について説明する。継手部材３７１は、図６等に示すように、吸込具１の吸込部２の上面部分に取り付けられ、当該上面部分から上方へと突出して配置される。継手部材３７１は、電気掃除機４の掃除機吸込口５０６と、機械的かつ風路的に接続されるとともに、吸込具１が吸い込んだ塵埃を電気掃除機４の集塵ユニット５３１へ運ぶ経路の一部を構成する部材である。継手部材３７１は、継手３７２、接続掛け金受け３７３、管路３７４、継手フランジ３７５、ねじ切欠き３７６、シール部材装着部３７７、前立て３７８、前立てつば３７９及び継手押えリブ受け３８０を備えている。
【０１２８】
継手３７２は、中空で、根元の外径より先端の外径が小さい、先細りのテーパー状に形成されている。継手３７２は、一端が管路３７４の上端に接続され、一端から他端にかけて後方かつやや斜め上方に向けて延びるように配置されている。継手３７２の他端側は、電気掃除機４の掃除機吸込口５０６と接続される。継手３７２の前記他端側の上面には、接続掛け金受け３７３が形成されている。接続掛け金受け３７３は、掃除機吸込口５０６の接続掛け金５１１が係合する凹部である。
【０１２９】
継手３７２の前記一端には、管路３７４の上端が接続されている。管路３７４は、吸込具１が吸い込んだ塵埃を集塵ユニット５３１へ運ぶ経路の一部である。管路３７４は、吸込風路（回転ブラシカバー側）１４４と吸込風路（下カバー側）３１６とが組み合わされて構成される吸込風路と、継手３７２とを接続する風路を構成している。管路３７４は、上下方向に沿って配置されている。
【０１３０】
管路３７４の下端部には、継手フランジ３７５が形成されている。継手フランジ３７５は、管路３７４の下端部において全周にわたって外周方向に突出するようにして設けられている。継手フランジ３７５は、継手部材３７１を回転ブラシカバー１４１の継手部材装着部１４５に装着する際に上下方向の押えになる部材である。継手フランジ３７５の後端は、前立て３７８と結合されている。
【０１３１】
継手フランジ３７５の前部及び左右両部には、ねじ切欠き３７６が形成されている。ねじ切欠き３７６は、ねじで継手部材３７１を継手部材装着部１４５に締結する際に用いる部位である。ねじ切欠き３７６を補強するために、各ねじ切欠き３７６の近傍には、継手フランジ３７５と管路３７４をつなぐ補強リブが設けられている。
【０１３２】
特に図２７に示すように、管路３７４の下端部外周における継手フランジ３７５の下縁部には、シール部材装着部３７７が設けられている。シール部材装着部３７７は、継手フランジ３７５の全周にわたって溝状に形成されている。シール部材装着部３７７には、シール部材が装着される。シール部材は、継手部材３７１と継手部材装着部１４５との間の空気漏れを防止するためのものである。
【０１３３】
管路３７４の後方には、前立て３７８が設けられている。前立て３７８は平板状を呈する。前立て３７８は、継手フランジ３７５の後端から継手３７２の前部にかけて、管路３７４の後側に上下に配置される。前立てつば３７９は、前立て３７８の外周全体の部位である。前立てつば３７９は、継手部材３７１と上ケース１０１及び継手カバー４０１との係合を安定させるために用いられる。
【０１３４】
継手３７２の前部上面における前立て３７８よりも前側には、継手押えリブ受け３８０が設けられている。継手押えリブ受け３８０は、継手３７２の前部上面から上方に突出した板状の部材である。継手押えリブ受け３８０と、前立て３７８との間には一定の間隔が形成されている。継手押えリブ受け３８０は、継手部材３７１と継手カバー４０１との係合を安定させるためのものである。
【０１３５】
次に、図２８を参照しながら、継手カバー４０１の構成について説明する。継手カバー４０１は、例えば図１、２、６、７等に示すように、吸込具１の吸込部２における上面に、継手部材３７１の前側を覆うようにして取り付けられる。継手カバー４０１は、継手カバー爪４０２、前立てつば受け４０３及び継手押えリブ４０４を備えている。継手カバー４０１の下面と後面とは開放されている。
【０１３６】
継手カバー４０１の下端における左右両側には、継手カバー爪４０２がそれぞれ下方に突出して設けられている。これらの継手カバー爪４０２を継手カバー爪受け１０７へと係合させることで、継手カバー４０１が上ケース１０１の継手カバー装着部１０６に装着される。継手カバー４０１の後端面には、前立てつば受け４０３が形成されている。前立てつば受け４０３は、継手カバー４０１と継手部材３７１の前立てつば３７９との係合を安定させるための部位である。
【０１３７】
継手カバー４０１の後端部における上面の内側には、複数の継手押えリブ４０４が形成されている。継手押えリブ４０４は、継手カバー４０１の上面内側から下方に突出している。継手カバー４０１を取り付ける際、継手押えリブ４０４の先端部が継手押えリブ受け３８０と前立て３７８との間に入り、継手カバー４０１と継手部材３７１との係合を安定させることができる。なお、継手カバー４０１の上面部分は、継手３７２に接続された掃除機吸込管５０７の上面部と滑らかに連なるような形状をしている。
【０１３８】
次に、図２９及び図３０を参照しながら、前カバー４２１の構成について説明する。前カバー４２１は、例えば図６等に示すように、吸込具１の吸込部２の上面前端部に取り付けられる。前カバー４２１は、吸込具１の意匠性を向上させるものである。前カバー４２１の上面は、例えば塗装、シルクスクリーン印刷等により加飾されている。前カバー４２１の例えば前端部及び後端部には、複数の前カバー爪４２２が下方に突出して設けられている。これらの前カバー爪４２２を前カバー爪受け１０３へ係合させることで、前カバー４２１が、上ケース１０１の前カバー装着部１０２に装着される。
【０１３９】
なお、図３１に示すように、上ケース１０１の集塵ユニット取っ手逃げ凹部１１０の前端面には、掃除機固定凸部１２５が形成されている。掃除機固定凸部１２５は、集塵ユニット取っ手逃げ凹部１１０の前端面の上端部から後方に向けて突出して設けられている。掃除機固定凸部１２５は、前述したように、吸込具１に電気掃除機４を装着した際に、掃除機固定凸部受け５３５内に挿入される部位である。
【０１４０】
全体として以上のように構成された吸込具１の要部の構成について、さらに詳しく説明する。この発明の実施の形態１に係る吸込具１は、これまでに説明した通り、吸込部２と継手部材３７１と掃除機装着部３とを備えている。吸込部２の下面には、吸込口（吸込開口３１４）が形成されている。継手部材３７１は、吸込部２に設けられている。継手部材３７１の一端側は吸込開口３１４に通じている。継手部材３７１の他端部には、電気掃除機４の掃除機吸込管５０７が接続される。掃除機装着部３は、吸込部２の後端から後方に延びて設けられている。掃除機装着部３は、上面部（掃除機装着面１０８）で電気掃除機４の掃除機本体５０１を下側から支持する。
【０１４１】
そして、例えば図３１等に示すように、掃除機装着部３は、後車輪２４１と掃除機受け部１１５とを備えている。後車輪２４１は、掃除機装着部３の下面部に設けられた車輪である。掃除機受け部１１５は、掃除機装着部３の上面部（掃除機装着面１０８）に設けられている。掃除機受け部１１５は、掃除機装着部３が掃除機本体５０１を支持した状態において、掃除機本体５０１の表面に接触する部位である。
【０１４２】
後車輪２４１の後車輪軸２４３及び掃除機受け部１１５の前後方向の位置は、掃除機装着部３が掃除機本体５０１を支持した状態において、使用者が持つ掃除機本体５０１の掃除機取っ手５０５の前端から後端までの範囲内に配置されている。この点について、図３２及び図３３を参照しながら詳しく説明する。
【０１４３】
図３２において、Ａで示す破線は、掃除機装着部３が掃除機本体５０１を支持した状態における、掃除機取っ手５０５の前端の前後方向の位置である。Ｂで示す破線は、掃除機装着部３が掃除機本体５０１を支持した状態における、掃除機取っ手５０５の後端の前後方向の位置である。また、Ｃで示す破線は、掃除機装着部３が掃除機本体５０１を支持した状態における、掃除機取っ手５０５の前端から後端までの中央の位置である。そして、Ｄで示す破線が、後車輪軸２４３の前後方向の位置である。
【０１４４】
この図３２に示すように、後車輪軸２４３の前後方向の位置Ｄは、掃除機取っ手５０５の前端の位置Ａと、掃除機取っ手５０５の後端の位置Ｂとの間に配置されている。また、ここでは、後車輪軸２４３の前後方向の位置Ｄは、ＡとＢの間で、かつ、掃除機取っ手５０５の前端から後端までの中央の位置Ｃよりも前側に配置されている。
【０１４５】
次に、図３３に示すように、掃除機受け部１１５の前後方向の位置は、後車輪軸２４３と同じくＤの位置にある。すなわち、後車輪軸２４３の前後方向の位置は、掃除機受け部１１５の前後方向の位置の直下に配置されている。
【０１４６】
したがって、掃除機受け部１１５の前後方向の位置も、掃除機取っ手５０５の前端の位置Ａと、掃除機取っ手５０５の後端の位置Ｂとの間に配置されている。さらに、ここでは、掃除機受け部１１５の前後方向の位置も、ＡとＢの間で、かつ、掃除機取っ手５０５の前端から後端までの中央の位置Ｃよりも前側に配置されている。なお、掃除機受け部１１５の前後方向の位置は、掃除機取っ手５０５の前端の位置Ａと、掃除機取っ手５０５の後端の位置Ｂとの間であって、かつ、後車輪軸２４３の前後方向の位置は直上より前側としてもよい。
【０１４７】
このように、掃除機本体５０１を下側から支持する掃除機装着部３に設けられた後車輪２４１の後車輪軸２４３及び掃除機受け部１１５の前後方向の位置を、掃除機取っ手５０５の前端から後端までの範囲内に配置することで、使用者が掃除機取っ手５０５を持って電気掃除機４を装着した吸込具１を被清掃面上で動かす際に、使用者が掃除機取っ手５０５を押す力を掃除機取っ手５０５の下方に配置された掃除機受け部１１５及び後車輪２４１でしっかりと受け止めて、操作時の安定性を高めることができる。
【０１４８】
この際、この実施の形態の電気掃除機４は、比較的に重量のある電動送風機５０２及び充電池５０４が、掃除機取っ手５０５と同じく掃除機本体５０１の後側に設けられているため、掃除機受け部１１５及び後車輪２４１により、これらの電動送風機５０２及び充電池５０４の重量を支持することができる。
【０１４９】
また、使用者が持つ掃除機取っ手５０５の下に後車輪２４１があるため、後車輪２４１を被清掃面に接触させたまま、後車輪２４１と被清掃面との接触部を支点として電気掃除機４が装着された吸込具１の向きを転換させることが容易にでき、被清掃面上での方向転換がやりやすくなる。以上のようにして、電気掃除機４が装着された吸込具１の操作時の安定性及び取り回しの容易性を高め操作性を大幅に向上することができる。
【０１５０】
この際、後車輪軸２４３及び掃除機受け部１１５の前後方向の位置を、掃除機取っ手５０５の前端から後端までの中央よりも前側に配置することで、使用者が掃除機取っ手５０５を持って電気掃除機４を装着した吸込具１を、被清掃面上で前に押す力を確実に受け止めることができ、使い勝手をさらに向上させることができる。
【０１５１】
また、掃除機受け部１１５の前後方向の位置を、後車輪軸２４３の前後方向の位置の直上又は直上より前側に配置することで、掃除機受け部１１５に掛かる力が、後車輪軸２４３を中心として吸込部２を上方に持ち上げる方向ではなく、吸込部２を被清掃面に押し付ける方向に働くため、操作時の安定性と操作性の向上を図ることができる。特に、後車輪軸２４３の前後方向の位置を掃除機受け部１１５の前後方向の位置の直下に配置することで、使用者が掃除機取っ手５０５を押す力と掃除機本体５０１の重量とをより確実に支持することができ、さらなる操作時の安定性と操作性の向上を期待することが可能である。
【０１５２】
なお、前に図２０を参照しながら説明したように、後車輪２４１は、左右方向の中心における径が左右両端における径よりも大きい樽形状である。このため、後車輪２４１の後車輪走行面２４２と被清掃面との接触面積を小さくすることができるため、後車輪２４１を被清掃面に接触させた状態での電気掃除機４が装着された吸込具１の向きの転換をより容易に行うことができる。
【０１５３】
また、図３４及び図３５に示すように、掃除機装着部３は、吸込部２より左右方向の幅が小さく、かつ、電気掃除機４の掃除機本体５０１と比較しても掃除機本体５０１より左右方向の幅が小さい。このため、掃除機本体５０１を下側から支持しつつも掃除機装着部３に必要な材料の量を少なくして、吸込具１全体としての質量を軽くして操作性を向上させることができる。
【０１５４】
また、吸込具１に電気掃除機４を装着した状態では、使用者の視点からは、掃除機装着部３の大部分が掃除機本体５０１の下に隠れて見えないため、使用者により洗練された印象を与えることができる。さらに、例えば寝具等の柔らかい被清掃面上で使用した際に、掃除機装着部３と被清掃面との接触面積が少なくなるため、吸込具１を被清掃面上で動かした際の接触抵抗を低減することができる。
【０１５５】
なお、図３４等に示すように、掃除機装着部３の下面には上方に向かって凹んだ底面凹み２８３が形成されている。このため、底面凹み２８３が形成された部分は寝具等の柔らかい被清掃面に対して接触し難くなるため、さらなる接触抵抗の低減を期待することができる。
【符号の説明】
【０１５６】
１    吸込具
２    吸込部
３    掃除機装着部
４    電気掃除機
１０１    上ケース
１０２    前カバー装着部
１０３    前カバー爪受け
１０４    前カバー爪穴
１０５    継手穴
１０６    継手カバー装着部
１０７    継手カバー爪受け
１０８    掃除機装着面
１０９    掃除機逃げ凹部
１１０    集塵ユニット取っ手逃げ凹部
１１１    集塵ユニットレバー逃げ凹部
１１２    傾斜部
１１３    排気口逃げ凹部
１１５    掃除機受け部
１１６    掃除機固定具回動面（上ケース側）
１１７    掃除機固定具軸
１１８    掃除機固定具支持リブ（上ケース側）
１１９    掃除機固定具開口（傾斜突起側）
１２０    掃除機固定具開口（固定突起側）
１２１    後車輪室（上ケース側）
１２２    後車輪軸受（上ケース側）
１２３    ねじボス（上ケース側）
１２４    ねじ穴（上ケース側）
１２５    掃除機固定凸部
１４１    回転ブラシカバー
１４２    回転ブラシ室（回転ブラシカバー側）
１４３    円弧壁（回転ブラシカバー側）
１４４    吸込風路（回転ブラシカバー側）
１４５    継手部材装着部
１４６    シール面
１４７    ねじボス（回転ブラシカバー側）
１４８    小歯車室（回転ブラシカバー側）
１４９    外側回転ブラシ軸受（回転ブラシカバー側）
１５０    内側回転ブラシ軸受（回転ブラシカバー側）
１５１    大歯車室（回転ブラシカバー側）
１５２    前車輪室（回転ブラシカバー側）
１５３    外側前車輪軸受（回転ブラシカバー側）
１５４    内側前車輪軸受（回転ブラシカバー側）
１５５    中央前車輪軸受（回転ブラシカバー側）
１５６    下カバー軸受（回転ブラシカバー側）
１５７    固定部
１８１    前車輪組立
１８２    リム
１８３    外側フランジ
１８４    内側フランジ
１８５    回り止め突起受け
１８６    前車輪軸
１８７    大歯車（駆動歯車）
１８８    円板
１８９    タイヤ
１９０    前車輪走行面
１９１    パターン
１９２    回り止め突起
２１１    掃除機固定具
２１２    腕部
２１３    補強リブ
２１４    掃除機固定具軸受
２１５    傾斜突起
２１６    固定突起
２１７    逃げ面
２１８    ばね掛け部
２３１    掃除機固定具ばね
２４１    後車輪
２４２    後車輪走行面
２４３    後車輪軸
２４４    後車輪リブ
２６１    下ケース
２６３    下カバー収納部
２６４    前側吸込口（下ケース側）
２６５    被清掃面押えリブ（下ケース側）
２６６    回転ブラシ軸受収納部
２６７    回転ブラシ軸端面受け
２６８    大歯車室（下ケース側）
２６９    前車輪室（下ケース側）
２７０    前車輪開口
２７１    外側前車輪軸受（下ケース側）
２７２    内側前車輪軸受（下ケース側）
２７３    中央前車輪軸受（下ケース側）
２７４    下カバー止め具装着部
２７５    乗り上げ突起（下ケース側）
２７６    指掛け部凹み
２７７    下カバー軸受（下ケース側）
２７８    掃除機固定具回動面（下ケース側）
２７９    掃除機固定具支持リブ（下ケース側）
２８０    後車輪室（下ケース側）
２８１    後車輪開口
２８２    後車輪軸受（下ケース側）
２８３    底面凹み
２８４    ねじ穴（下ケース側）
２８５    ねじボス（下ケース側）
３０１    下カバー止め具
３０２    止め部
３０３    乗り上げ突起（下カバー止め具側）
３０４    指掛け部
３１１    下カバー組立
３１２    下カバー
３１３    回転ブラシ室（下カバー側）
３１４    吸込開口
３１５    円弧壁（下カバー側）
３１６    吸込風路（下カバー側）
３１７    前側吸込口（下カバー側）
３１８    被清掃面押えリブ（下カバー側）
３１９    小歯車室（下カバー側）
３２０    外側回転ブラシ軸受（下カバー側）
３２１    内側回転ブラシ軸受（下カバー側）
３２２    下カバー軸
３２３    下カバー軸スリット
３２４    止め具受け
３２５    傾斜パイル貼付け部
３４１    傾斜パイル
３５１    回転ブラシ組立
３５２    植毛支持具
３５３    植毛装着溝
３５４    植毛
３５５    キャップ
３５６    回転ブラシ軸
３５７    小歯車（被動歯車）
３７１    継手部材
３７２    継手
３７３    接続掛け金受け
３７４    管路
３７５    継手フランジ
３７６    ねじ切欠き
３７７    シール部材装着部
３７８    前立て
３７９    前立てつば
３８０    継手押えリブ受け
３９１    シール部材
４０１    継手カバー
４０２    継手カバー爪
４０３    前立てつば受け
４０４    継手押えリブ
４２１    前カバー
４２２    前カバー爪
５０１    掃除機本体
５０２    電動送風機
５０３    制御基板
５０４    充電池
５０５    掃除機取っ手
５０６    掃除機吸込口
５０７    掃除機吸込管
５０８    吸込管吐出口
５０９    排気口
５１０    着脱ボタン
５１１    接続掛け金
５１２    掃除機凸部
５１３    充電端子
５２０    電池ユニット
５２１    送風機ケーシング
５２２    電池ケーシング
５２３    集塵ケーシング
５３１    集塵ユニット
５３２    集塵ユニット取っ手
５３３    集塵ユニットレバー
５３４    取っ手フランジ
５３５    掃除機固定凸部受け
５３６    隔壁
５３７    集塵室
【図１】
0006724500.tif 000002
【図２】
0006724500.tif 000003
【図３】
0006724500.tif 000004
【図４】
0006724500.tif 000005
【図５】
0006724500.tif 000006
【図６】
0006724500.tif 000007
【図７】
0006724500.tif 000008
【図８】
0006724500.tif 000009
【図９】
0006724500.tif 000010
【図１０】
0006724500.tif 000011
【図１１】
0006724500.tif 000012
【図１２】
0006724500.tif 000013
【図１３】
0006724500.tif 000014
【図１４】
0006724500.tif 000015
【図１５】
0006724500.tif 000016
【図１６】
0006724500.tif 000017
【図１７】
0006724500.tif 000018
【図１８】
0006724500.tif 000019
【図１９】
0006724500.tif 000020
【図２０】
0006724500.tif 000021
【図２１】
0006724500.tif 000022
【図２２】
0006724500.tif 000023
【図２３】
0006724500.tif 000024
【図２４】
0006724500.tif 000025
【図２５】
0006724500.tif 000026
【図２６】
0006724500.tif 000027
【図２７】
0006724500.tif 000028
【図２８】
0006724500.tif 000029
【図２９】
0006724500.tif 000030
【図３０】
0006724500.tif 000031
【図３１】
0006724500.tif 000032
【図３２】
0006724500.tif 000033
【図３３】
0006724500.tif 000034
【図３４】
0006724500.tif 000035
【図３５】
0006724500.tif 000036